(57)【要約】      （修正有）【課題】ネットワーク遅延を適切に抑制することを可能とする電力管理装置、通信制御装置及び電力管理方法を提供する。【解決手段】複数の機器を制御する電力管理装置１０は、ルータ機能を有している複数の機器のうち少なくとも１つの機器に対して、ルーティングテーブルに含まれる宛先アドレスのうち、ルーティングテーブルから削除すべきではない宛先アドレスを指定する保護アドレス指定メッセージを送信する送信部１２を備える。【選択図】図２
2014165737.tif 000002
【特許請求の範囲】
【請求項１】
複数の機器のそれぞれが有するルーティングテーブルを用いて通信が行われる電力管理システムにおいて、前記複数の機器の電力を管理する電力管理装置であって、
前記複数の機器のうち、少なくとも１つの機器に対して、前記ルーティングテーブルに含まれる宛先アドレスのうち、前記ルーティングテーブルから削除すべきではない宛先アドレスを指定する保護アドレス指定メッセージを送信する送信部を備えることを特徴とする電力管理装置。
【請求項２】
前記送信部は、前記ルーティングテーブルに格納する宛先アドレスの上限数よりも前記複数の機器の数が多い場合に、前記保護アドレス指定メッセージを送信することを特徴とする請求項１に記載の電力管理装置。
【請求項３】
前記送信部は、センサの検出結果の受信に応じて、前記保護アドレス指定メッセージを送信することを特徴とする請求項１又は請求項２に記載の電力管理装置。
【請求項４】
前記センサの検出結果に応じて、前記センサの検出結果に対応付けられた機器の宛先アドレスを特定する特定部を備え、
前記送信部は、前記ルーティングテーブルから削除すべきではない宛先アドレスとして、前記特定部によって特定された宛先アドレスを指定する前記保護アドレス指定メッセージを送信することを特徴とする請求項２に記載の電力管理装置。
【請求項５】
前記送信部は、系統から購入する電力の料金が変更されるタイミングに応じて、前記保護アドレス指定メッセージを送信することを特徴とする請求項１乃至請求項４のいずれかに記載の電力管理装置。
【請求項６】
前記系統から購入する電力の料金の変更に応じて、前記センサの検出結果に対応付けられた機器の宛先アドレスを特定する特定部を備え、
前記送信部は、前記ルーティングテーブルから削除すべきではない宛先アドレスとして、前記特定部によって特定された宛先アドレスを指定する前記保護アドレス指定メッセージを送信することを特徴とする請求項５に記載の電力管理装置。
【請求項７】
前記送信部は、前記ルーティングテーブルから削除すべきではない宛先アドレスとして、予め定められた機器の宛先アドレスを指定する前記保護アドレス指定メッセージを送信することを特徴とする請求項１乃至請求項６のいずれかに記載の電力管理装置。
【請求項８】
複数の機器のそれぞれが有するルーティングテーブルを用いて通信が行われる通信システムにおいて、前記複数の機器の通信を制御する通信制御装置であって、
前記複数の機器のうち、少なくとも１つの機器に対して、前記ルーティングテーブルに含まれる宛先アドレスのうち、前記ルーティングテーブルから削除すべきではない宛先アドレスを指定する保護アドレス指定メッセージを送信する送信部を備えることを特徴とする通信制御装置。
【請求項９】
複数の機器と、前記複数の機器の電力を管理する電力管理装置とを備え、前記複数の機器のそれぞれが有するルーティングテーブルを用いて通信が行われる電力管理システムであって、
前記電力管理装置は、前記複数の機器のうち、少なくとも１つの機器に対して、前記ルーティングテーブルに含まれる宛先アドレスのうち、前記ルーティングテーブルから削除すべきではない宛先アドレスを指定する保護アドレス指定メッセージを送信する送信部を備えることを特徴とする電力管理システム。
【請求項１０】
複数の機器と、前記複数の機器の電力を管理する電力管理装置とを備え、前記複数の機器のそれぞれが有するルーティングテーブルを用いて通信が行われる電力管理システムにおいて、前記複数の機器を制御する電力管理方法であって、
前記電力管理システムから、前記複数の機器のうち、少なくとも１つの機器に対して、前記ルーティングテーブルに含まれる宛先アドレスのうち、前記ルーティングテーブルから削除すべきではない宛先アドレスを指定する保護アドレス指定メッセージを送信するステップを備えることを特徴とする電力管理方法。
【発明の詳細な説明】
【技術分野】
【０００１】
本発明は、複数の機器を制御する電力管理装置、通信制御装置、電力管理システム及び電力管理方法に関する。
【背景技術】
【０００２】
従来、需要家に設けられる負荷及び分散電源などの複数の機器を制御する電力管理装置が知られている。このような電力管理装置のうち、住宅に設けられた機器を制御する装置については、ＨＥＭＳ（Ｈｏｍｅ  Ｅｎｅｒｇｙ  Ｍａｎａｇｅｍｅｎｔ  Ｓｙｓｔｅｍ）などと称する。
【０００３】
ここで、複数の機器を制御する方法として、各機器がルータ機能を有していることを前提として、各機器に設けられたルーティングテーブルを用いて、各機器がメッセージを転送する方法（例えば、ＺｉｇＢｅｅ、ＥＣＨＯＮＥＴ  Ｌｉｔｅ）が提案されている（例えば、特許文献１）。
【０００４】
各機器は、定期的な探索メッセージの送信等によって、各機器に設けられたルーティングテーブルを自律的に更新する。従って、電力管理装置は、各機器に設けられたルーティングテーブルの更新に関与しない。
【先行技術文献】
【特許文献】
【０００５】
【特許文献１】特開２０１１−１２９０８５号公報
【発明の概要】
【発明が解決しようとする課題】
【０００６】
ところで、各機器に設けられたルーティングテーブルに格納可能な宛先アドレス数の上限は限られている。従って、必要な宛先アドレスがルーティングテーブルに格納されていないケースが生じる。このようなケースでは、探索メッセージの送信及び探索メッセージに対する応答メッセージの受信を行う必要があり、ネットワーク遅延が生じる。特に、需要家に設けられる機器数が増大した場合には、探索メッセージの送信及び応答メッセージの受信に伴うネットワーク遅延がさらに増大する。
【０００７】
そこで、本発明は、上述した課題を解決するためになされたものであり、ネットワーク遅延を適切に抑制することを可能とする電力管理装置、通信制御装置及び電力管理方法を提供することを目的とする。
【課題を解決するための手段】
【０００８】
第１の特徴に係る電力管理装置は、複数の機器のそれぞれが有するルーティングテーブルを用いて通信が行われる電力管理システムにおいて、前記複数の機器の電力を管理する。電力管理装置は、前記複数の機器のうち、少なくとも１つの機器に対して、前記ルーティングテーブルに含まれる宛先アドレスのうち、前記ルーティングテーブルから削除すべきではない宛先アドレスを指定する保護アドレス指定メッセージを送信する送信部を備える。
【０００９】
第１の特徴において、前記送信部は、前記ルーティングテーブルに格納する宛先アドレスの上限数よりも前記複数の機器の数が多い場合に、前記保護アドレス指定メッセージを送信する。
【００１０】
第１の特徴において、前記送信部は、センサの検出結果の受信に応じて、前記保護アドレス指定メッセージを送信する。
【００１１】
第１の特徴において、電力管理装置は、前記センサの検出結果に応じて、前記センサの検出結果に対応付けられた機器の宛先アドレスを特定する特定部を備える。前記送信部は、前記ルーティングテーブルから削除すべきではない宛先アドレスとして、前記特定部によって特定された宛先アドレスを指定する前記保護アドレス指定メッセージを送信する。
【００１２】
第１の特徴において、前記送信部は、系統から購入する電力の料金が変更されるタイミングに応じて、前記保護アドレス指定メッセージを送信する。
【００１３】
第１の特徴において、電力管理装置は、前記系統から購入する電力の料金の変更に応じて、前記センサの検出結果に対応付けられた機器の宛先アドレスを特定する特定部を備える。前記送信部は、前記ルーティングテーブルから削除すべきではない宛先アドレスとして、前記特定部によって特定された宛先アドレスを指定する前記保護アドレス指定メッセージを送信する。
【００１４】
第１の特徴において、前記送信部は、前記ルーティングテーブルから削除すべきではない宛先アドレスとして、予め定められた機器の宛先アドレスを指定する前記保護アドレス指定メッセージを送信する。
【００１５】
第２の特徴に係る通信制御装置は、複数の機器のそれぞれが有するルーティングテーブルを用いて通信が行われる通信システムにおいて、前記複数の機器の通信を制御する。通信制御装置は、前記複数の機器のうち、少なくとも１つの機器に対して、前記ルーティングテーブルに含まれる宛先アドレスのうち、前記ルーティングテーブルから削除すべきではない宛先アドレスを指定する保護アドレス指定メッセージを送信する送信部を備える。
【００１６】
第３の特徴に係る電力管理システムは、複数の機器と、前記複数の機器の電力を管理する電力管理装置とを備え、前記複数の機器のそれぞれが有するルーティングテーブルを用いて通信が行われるシステムである。前記電力管理装置は、前記複数の機器のうち、少なくとも１つの機器に対して、前記ルーティングテーブルに含まれる宛先アドレスのうち、前記ルーティングテーブルから削除すべきではない宛先アドレスを指定する保護アドレス指定メッセージを送信する送信部を備える。
【００１７】
第４の特徴に係る電力管理方法は、複数の機器と、前記複数の機器の電力を管理する電力管理装置とを備え、前記複数の機器のそれぞれが有するルーティングテーブルを用いて通信が行われる電力管理システムにおいて、前記複数の機器を制御する方法である。電力管理方法は、前記電力管理装置から前記複数の機器のうち、少なくとも１つの機器に対して、前記ルーティングテーブルに含まれる宛先アドレスのうち、前記ルーティングテーブルから削除すべきではない宛先アドレスを指定する保護アドレス指定メッセージを送信するステップを備える。
【発明の効果】
【００１８】
本発明によれば、ネットワーク遅延を適切に抑制することを可能とする電力管理装置、通信制御装置及び電力管理方法を提供することができる。
【図面の簡単な説明】
【００１９】
【図１】図１は、第１実施形態に係る電力管理システム１００を示す図である。
【図２】図２は、第１実施形態に係る電力管理装置１０を示す図である。
【図３】図３は、第１実施形態に係る制御部１３が有するテーブルの一例を示す図である。
【図４】図４は、第１実施形態に係る機器２０に設けられたルーティングテーブルの一例を示す図である。
【図５】図５は、第１実施形態に係る機器２０に設けられたルーティングテーブルの一例を示す図である。
【図６】図６は、第１実施形態に係る電力管理方法（第１処理）を示す図である。
【図７】図７は、第１実施形態に係る電力管理方法（第１処理）を示す図である。
【発明を実施するための形態】
【００２０】
以下において、本発明の実施形態に係る電力管理システムについて、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［実施形態の概要］
実施形態に係る電力管理装置は、複数の機器のそれぞれが有するルーティングテーブルを用いて通信が行われる電力管理システムにおいて、前記複数の機器の電力を管理する。電力管理装置は、前記複数の機器のうち、少なくとも１つの機器に対して、前記ルーティングテーブルに含まれる宛先アドレスのうち、前記ルーティングテーブルから削除すべきではない宛先アドレスを指定する保護アドレス指定メッセージを送信する送信部を備える。
【００２３】
実施形態では、電力管理装置から機器に対して、ルーティングテーブルから削除すべきではない宛先アドレスを指定する保護アドレス指定メッセージが送信される。これによって、各機器に設けられたルーティングテーブルにおいて、電力管理装置から指定された宛先アドレスを保護することができる。すなわち、“機器のルーティングテーブルから削除してはならない宛先アドレス”という概念を新たに導入することによって、必要な宛先アドレスがルーティングテーブルから削除されることが抑制され、探索メッセージの送信及び応答メッセージの受信に伴うネットワーク遅延が抑制される。
【００２４】
［第１実施形態］
（電力管理システムの構成）
以下において、第１実施形態に係る電力管理システムについて説明する。図１は、第１実施形態に係る電力管理システム１００を示す図である。
【００２５】
図１に示すように、電力管理システム１００は、電力管理装置１０と、複数の機器２０と、複数のセンサ３０とを有する。
【００２６】
電力管理システム１００では、複数の機器２０のそれぞれが有するルーティングテーブルを用いて通信が行われる。電力管理システム１００で行われる通信は、有線を介して行われてもよく、無線で行われてもよい。
【００２７】
電力管理システム１００において、下位層（ネットワーク層：ＯＳＩ参照モデルの第３層）、すなわち、ＩＰ／ＵＤＰ層に係るプロトコルとしては、例えば、ＺｉｇＢｅｅを用いることができる。上位層（アプリケーション層：ＯＳＩ参照モデルの第７層）に係るプロトコルとしては、例えば、メッセージフォーマットを規定するＥＣＨＯＮＥＴ  Ｌｉｔｅを用いることができる。
【００２８】
電力管理装置１０は、複数の機器２０の電力を管理する装置である。例えば、住宅に設けられた機器の電力を制御する電力管理装置１０については、ＨＥＭＳ（Ｈｏｍｅ  Ｅｎｅｒｇｙ  Ｍａｎａｇｅｍｅｎｔ  Ｓｙｓｔｅｍ）と称される。店舗に設けられた機器の電力を制御する電力管理装置１０については、ＳＥＭＳ（Ｓｔｏｒｅ  Ｅｎｅｒｇｙ  Ｍａｎａｇｅｍｅｎｔ  Ｓｙｓｔｅｍ）と称される。ビルに設けられた機器の電力を制御する電力管理装置１０については、ＢＥＭＳ（Ｂｕｉｌｄｉｎｇ  Ｅｎｅｒｇｙ  Ｍａｎａｇｅｍｅｎｔ  Ｓｙｓｔｅｍ）と称される。工場に設けられた機器の電力を制御する電力管理装置１０については、ＦＥＭＳ（Ｆａｃｔｏｒｙ  Ｅｎｅｒｇｙ  Ｍａｎａｇｅｍｅｎｔ  Ｓｙｓｔｅｍ）と称される。電力管理装置１０の詳細については後述する。
【００２９】
機器２０は、住宅、店舗、ビル又は工場などの需要家に設けられる機器である。機器２０は、例えば、エアーコンディショナー、照明装置、冷蔵庫などのように、電力を消費する装置である。或いは、機器２０は、例えば、太陽電池装置、燃料電池装置、蓄電池装置などのように、電力を供給又は蓄積する分散電源である。
【００３０】
各機器２０は、宛先アドレスと次アドレスとを対応付けるルーティングテーブルを有しており、ルーティングテーブルを用いてメッセージを転送する機能（ルータ機能）を有する。各機器２０は、探索メッセージを定期的にブロードキャスト又はマルチキャストで送信し、探索メッセージに対する応答メッセージを受信することによって、ルーティングテーブルを更新する。
【００３１】
これによって、電力管理システム１００に新たな機器が接続された場合であっても、ルーティングテーブルを適切な状態に維持することができる。或いは、電力管理システム１００に設けられた機器の電源又はルータ機能のオン／オフが行われた場合であっても、ルーティングテーブルを適切な状態に維持することができる。或いは、電力管理システム１００で行われる通信が無線を介して行われるケースにおいて、機器が移動した場合であっても、ルーティングテーブルを適切な状態に維持することができる。
【００３２】
第１実施形態において、複数の機器２０は、エリアＡに設けられた機器（Ａ１〜Ａ５）、エリアＢに設けられた機器（Ｂ１〜Ｂ２）、エリアＣに設けられた機器（Ｃ１〜Ｃ３）を含む。
【００３３】
図１に示すケースでは、メッセージを転送する経路として、“Ａ１−Ａ２−Ａ３”、“Ａ１−Ａ４−Ａ５”、“Ｂ１−Ｂ２”、“Ｃ１−Ｃ２−Ｃ３”の経路が形成されている。
【００３４】
センサ３０は、人感センサ、温度センサ、照度センサなどのセンサである。上述した電力管理装置１０は、センサ３０の検出結果に応じて、各機器２０の電力を制御する。センサ３０は、機器の一例と考えてもよい。
【００３５】
第１実施形態において、複数のセンサ３０は、エリアＡに設けられたセンサ（Ａ）、エリアＢに設けられたセンサ（Ｂ）、エリアＣに設けられたセンサ（Ｃ）を含む。
【００３６】
（電力管理装置）
以下において、第１実施形態に係る電力管理装置について説明する。図２は、第１実施形態に係る電力管理装置１０を示す図である。
【００３７】
図２に示すように、電力管理装置１０は、受信部１１と、送信部１２と、制御部１３とを有する。
【００３８】
受信部１１は、各機器２０からメッセージを受信する。受信部１１は、各センサ３０から検出結果を受信する。
【００３９】
送信部１２は、各機器２０にメッセージを送信する。第１実施形態において、送信部１２は、各機器２０のルーティングテーブルから削除すべきではない宛先アドレスを指定する保護アドレス指定メッセージを送信する。
【００４０】
送信部１２は、複数の機器２０の少なくとも１つの機器に対して、保護アドレス指定メッセージを送信する機能を有していればよい。送信部１２は、ブロードキャスト又はマルチキャストで保護アドレス指定メッセージを送信してもよい。或いは、送信部１２は、制御部１３によって指定された機器２０に対して、保護アドレス指定メッセージを送信してもよい。
【００４１】
送信部１２は、ルーティングテーブルから削除すべきではない宛先アドレスの解除を要求する解除メッセージを送信する。送信部１２は、ブロードキャスト又はマルチキャストで解除メッセージを送信してもよい。或いは、送信部１２は、保護アドレス指定メッセージを受信した機器２０に対して、解除メッセージを送信してもよい。
【００４２】
保護アドレス指定メッセージ及び解除メッセージは、下位層に係るプロトコル（例えば、ＺｉｇＢｅｅ）で規定されるメッセージであってもよく、上位層に係るプロトコル（例えば、ＥＣＨＯＮＥＴ  Ｌｉｔｅ）で規定されるメッセージであってもよい。
【００４３】
制御部１３は、電力管理装置１０を制御する。制御部１３は、センサ３０の検出結果、系統から購入する電力の料金の変更又はユーザ操作などに応じて、各機器２０の電力を制御する。例えば、制御部１３は、各機器２０の運転モードを制御する。
【００４４】
第１実施形態において、制御部１３は、保護アドレス指定メッセージの送信を送信部１２に指示する。
【００４５】
具体的には、第１に、制御部１３は、ルーティングテーブルに格納する宛先アドレスの上限数よりも、電力管理システム１００に設けられた複数の機器２０の数が多い場合に、保護アドレス指定メッセージの送信を送信部１２に指示する。送信部１２は、制御部１３の指示に応じて、保護アドレス指定メッセージを送信する。
【００４６】
電力管理システム１００に設けられた複数の機器２０の数は、電力管理システム１００に接続された機器の数であってもよい。或いは、電力管理システム１００に設けられた複数の機器２０の数は、電源がオンの機器の数であってもよい。或いは、電力管理システム１００に設けられた複数の機器２０の数は、ルータ機能がオンの機器の数であってもよい。
【００４７】
第２に、制御部１３は、センサ３０の検出結果の受信に応じて、保護アドレス指定メッセージの送信を送信部１２に指示する。送信部１２は、制御部１３の指示に応じて、保護アドレス指定メッセージを送信する。
【００４８】
ここで、制御部１３は、センサ３０の検出結果に応じて行われる制御が終了した場合に、解除メッセージの送信を送信部１２に指示する。送信部１２は、制御部１３の指示に応じて、解除メッセージを送信する。
【００４９】
第３に、制御部１３は、系統から購入する電力の料金が変更されるタイミング（以下、料金変更タイミング）に応じて、保護アドレス指定メッセージの送信を送信部１２に指示する。料金変更タイミングは、例えば、電力会社によって予め定められている。送信部１２は、制御部１３の指示に応じて、保護アドレス指定メッセージを送信する。
【００５０】
ここで、制御部１３は、系統から購入する電力の料金の変更に応じて行われる制御が終了した場合に、解除メッセージの送信を送信部１２に指示する。送信部１２は、制御部１３の指示に応じて、解除メッセージを送信する。
【００５１】
第１実施形態において、制御部１３は、各機器２０に設けられたルーティングテーブルから削除すべきではない宛先アドレス（以下、保護対象アドレス）を特定する特定部を構成する。
【００５２】
具体的には、第１に、制御部１３は、センサ３０の検出結果に応じて、センサ３０の検出結果に対応付けられた機器２０の宛先アドレスを保護対象アドレスとして特定する。センサ３０の検出結果に対応付けられた機器２０とは、センサ３０の検出結果に応じて制御すべき機器２０である。制御部１３は、保護対象アドレスを特定した場合に、保護対象アドレスを指定する保護アドレス指定メッセージの送信を送信部１２に指示する。送信部１２は、制御部１３の指示に応じて、保護アドレス指定メッセージを送信する。
【００５３】
制御部１３は、図３に示すように、センサ３０の検出結果と機器２０とを対応付けるテーブルを有していてもよい。或いは、制御部１３は、制御部１３に設定されたプログラムの解析によって、図３に示す対応関係を取得してもよい。
【００５４】
第２に、制御部１３は、系統から供給される電力の料金の変更に対応付けられた機器２０の宛先アドレスを保護対象アドレスとして特定する。系統から供給される電力の料金の変更に対応付けられた機器２０とは、系統から供給される電力の料金の変更に応じて、系統から供給される電力の料金の変更に応じて制御すべき機器２０である。制御部１３は、保護対象アドレスを特定した場合に、保護対象アドレスを指定する保護アドレス指定メッセージの送信を送信部１２に指示する。送信部１２は、制御部１３の指示に応じて、保護アドレス指定メッセージを送信する。
【００５５】
制御部１３は、系統から供給される電力の料金の変更についても、図３と同様のテーブルを有していてもよい。或いは、制御部１３は、制御部１３に設定されたプログラムの解析によって、図３と同様の対応関係を取得してもよい。
【００５６】
第３に、制御部１３は、予め定められた機器２０の宛先アドレスを保護対象アドレスとして特定する。予め定められた機器２０とは、電力管理システム１００において重要な役割を担う機器２０である。或いは、予め定められた機器２０とは、ネットワーク遅延を許容できないメッセージの送信又は受信を行う機器２０である。制御部１３は、予め定められた機器２０が電力管理システム１００に接続された場合に、保護対象アドレスを指定する保護アドレス指定メッセージの送信を送信部１２に指示する。送信部１２は、制御部１３の指示に応じて、保護アドレス指定メッセージを送信する。
【００５７】
（各機器に設けられたルーティングテーブル）
以下において、第１実施形態に係る機器に設けられたルーティングテーブルについて説明する。図４及び図５は、第１実施形態に係る機器２０に設けられたルーティングテーブルの一例を示す図である。
【００５８】
図４に示すように、機器２０に設けられたルーティングテーブルは、宛先アドレス、次アドレス、距離及び保護フラグを対応付けるテーブルである。図４では、機器Ａ１が有するルーティングテーブルが例示されている。ルーティングテーブルに格納可能な宛先アドレスには上限数が設けられているため、全ての機器の宛先アドレスがルーティングテーブルに格納されていない。図４に示すケースでは、機器Ｂ２、機器Ｃ２及び機器Ｃ３のアドレスについては、宛先アドレスとして格納されていない。
【００５９】
宛先アドレスは、メッセージの宛先を示すアドレスである。次アドレスは、宛先アドレスに送信すべきメッセージの転送先を示すアドレスである。距離は、自機器と宛先アドレスを有する機器との間の転送経路上の距離（例えば、ホップ数）である。
【００６０】
保護フラグは、ルーティングテーブルから宛先アドレスを削除することが許容されているか否かを示すフラグである。保護フラグに“０”がセットされている場合には、ルーティングテーブルから宛先アドレスを削除することが許容される。一方で、保護フラグに“１”がセットされている場合には、ルーティングテーブルから宛先アドレスを削除することが許容されない。
【００６１】
例えば、センサＡの検出結果ａａを電力管理装置１０が受信した場合には、図３に示すように、機器Ａ２及び機器Ａ３の宛先アドレスを指定する保護アドレス指定メッセージが電力管理装置１０から送信される。従って、機器Ａ１は、図５に示すように、保護アドレス指定メッセージに応じて、宛先アドレスＡ２，Ａ３に対応付けられた保護フラグに“１”をセットする。
【００６２】
（電力管理方法）
以下において、第１実施形態に係る電力管理方法について説明する。図６及び図７は、第１実施形態に係る電力管理方法を示すフロー図である。図６及び図７は、電力管理装置１０が行う処理を示している。
【００６３】
第１に、センサ３０の検出結果に応じて保護アドレス指定メッセージを送信する処理（第１処理）について説明する。
【００６４】
図６に示すように、ステップＳ１０において、電力管理装置１０は、センサ３０の検出結果を受信する。
【００６５】
ステップＳ２０において、電力管理装置１０は、センサ３０の検出結果に応じて、各機器２０の制御内容を決定する。この段階において、電力管理装置１０は、センサ３０の検出結果に対応する機器２０の宛先アドレスを保護対象アドレスとして特定することが好ましい。
【００６６】
ステップＳ３０において、電力管理装置１０は、電力管理システム１００に設けられた複数の機器２０のうち、所定優先度よりも低い優先度を有する機器２０に対するメッセージの送信を停止する。
【００６７】
ステップＳ４０において、電力管理装置１０は、ステップＳ２０で特定された保護対象アドレスを指定する保護アドレス指定メッセージを送信する。上述したように、電力管理装置１０は、ブロードキャスト又はマルチキャストで保護アドレス指定メッセージを送信してもよい。或いは、電力管理装置１０は、電力管理装置１０によって指定された機器２０に対して、保護アドレス指定メッセージを送信してもよい。
【００６８】
ここで、保護アドレス指定メッセージを受信する機器２０は、保護アドレス指定メッセージで指定された保護対象アドレスに対応付けられた保護フラグに“１”をセットする。
【００６９】
ステップＳ５０において、電力管理装置１０は、ステップＳ２０で決定された制御内容に従って、各機器２０の電力制御を開始する。すなわち、電力管理装置１０は、ステップＳ２０で決定された制御内容に従って制御すべき機器２０に対して、各種メッセージを送信する。
【００７０】
ステップＳ６０において、電力管理装置１０は、各機器２０の電力制御を終了する。
【００７１】
ステップＳ７０において、電力管理装置１０は、ルーティングテーブルから削除すべきではない宛先アドレスの解除を要求する解除メッセージを送信する。上述したように、電力管理装置１０は、ブロードキャスト又はマルチキャストで解除メッセージを送信してもよい。或いは、電力管理装置１０は、保護アドレス指定メッセージを受信した機器２０に対して、解除メッセージを送信してもよい。
【００７２】
第２に、料金変更タイミングに応じて保護アドレス指定メッセージを送信する処理（第１処理）について説明する。
【００７３】
図７に示すように、ステップＳ１１０において、電力管理装置１０は、料金変更タイミングを検出する。ここで、料金変更タイミングの検出は、料金変更タイミングよりも所定時間前に行われることに留意すべきである。所定時間は、ステップ１２０以降の処理を行うために確保すべき時間である。
【００７４】
ステップＳ１２０において、電力管理装置１０は、系統から供給される電力の料金の変更に応じて、各機器２０の制御内容を決定する。この段階において、電力管理装置１０は、系統から供給される電力の料金の変更に対応する機器２０の宛先アドレスを保護対象アドレスとして特定することが好ましい。
【００７５】
ステップＳ１３０において、電力管理装置１０は、電力管理システム１００に設けられた複数の機器２０のうち、所定優先度よりも低い優先度を有する機器２０に対するメッセージの送信を停止する。
【００７６】
ステップＳ１４０において、電力管理装置１０は、ステップＳ１２０で特定された保護対象アドレスを指定する保護アドレス指定メッセージを送信する。上述したように、電力管理装置１０は、ブロードキャスト又はマルチキャストで保護アドレス指定メッセージを送信してもよい。或いは、電力管理装置１０は、電力管理装置１０によって指定された機器２０に対して、保護アドレス指定メッセージを送信してもよい。
【００７７】
ここで、保護アドレス指定メッセージを受信する機器２０は、保護アドレス指定メッセージで指定された保護対象アドレスに対応付けられた保護フラグに“１”をセットする。
【００７８】
ステップＳ１５０において、電力管理装置１０は、ステップＳ１２０で決定された制御内容に従って、各機器２０の電力制御を開始する。すなわち、電力管理装置１０は、ステップＳ１２０で決定された制御内容に従って制御すべき機器２０に対して、各種メッセージを送信する。
【００７９】
ステップＳ１６０において、電力管理装置１０は、各機器２０の電力制御を終了する。
【００８０】
ステップＳ１７０において、電力管理装置１０は、ルーティングテーブルから削除すべきではない宛先アドレスの解除を要求する解除メッセージを送信する。上述したように、電力管理装置１０は、ブロードキャスト又はマルチキャストで解除メッセージを送信してもよい。或いは、電力管理装置１０は、保護アドレス指定メッセージを受信した機器２０に対して、解除メッセージを送信してもよい。
【００８１】
（作用及び効果）
第１実施形態では、電力管理装置１０から機器２０に対して、ルーティングテーブルから削除すべきではない宛先アドレスを指定する保護アドレス指定メッセージが送信される。これによって、各機器２０に設けられたルーティングテーブルにおいて、電力管理装置から指定された宛先アドレスを保護することができる。すなわち、“機器２０のルーティングテーブルから削除してはならない宛先アドレス”という概念を新たに導入することによって、必要な宛先アドレスがルーティングテーブルから削除されることが抑制され、探索メッセージの送信及び応答メッセージの受信に伴うネットワーク遅延が抑制される。
【００８２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８３】
実施形態では特に触れていないが、制御部１３は、ルーティングテーブルに格納する宛先アドレスの上限数よりも、電力管理システム１００に設けられた複数の機器２０の数が多く、かつ、センサ３０の検出結果を受信した場合に、保護アドレス指定メッセージの送信を送信部１２に指示してもよい。
【００８４】
実施形態では特に触れていないが、制御部１３は、ルーティングテーブルに格納する宛先アドレスの上限数よりも、電力管理システム１００に設けられた複数の機器２０の数が多く、かつ、電力料金変更タイミングを検出した場合に、保護アドレス指定メッセージの送信を送信部１２に指示してもよい。
【００８５】
実施形態では、複数の機器２０の電力を管理する電力管理システム１００について例示した。しかしながら、実施形態は、これに限定されるものではない。具体的には、上述した実施形態は、複数の機器のそれぞれが有するルーティングテーブルを用いて通信が行われる通信システムに適用されてもよい。このようなケースでは、電力管理装置を通信制御装置と読み替えてもよい。
【００８６】
実施形態では触れていないが、各機器２０に設けられたルーティングテーブルにおいて、電力管理装置１０の指定を受けなくても、ルーティングテーブルから削除すべきではない宛先アドレスが予め定められていてもよい。
【符号の説明】
【００８７】
１０…電力管理装置、１１…受信部、１２…送信部、１３…制御部、２０…機器、３０…センサ、１００…電力管理システム
【図１】
2014165737.tif 000003
【図２】
2014165737.tif 000004
【図３】
2014165737.tif 000005
【図４】
2014165737.tif 000006
【図５】
2014165737.tif 000007
【図６】
2014165737.tif 000008
【図７】
2014165737.tif 000009